(57)【要約】      （修正有）【課題】タンカ−による原油等液体の輸送に際して、国際的な環境問題となっている海水のバラスト水の問題等に対処するため、バラスト水をできるだけ積まない輸送方法及びそれに使用されるタンカ−を提供する。【解決手段】タンカ−Ｔの液槽２に清浄水又は該清浄水以外の貨物を搭載することができる水槽３を積載して航行し、目的地にて水槽３中の清浄水Ｗ又は該清浄水以外の貨物を取出して空にし、タンカ−Ｔの液槽２中に原油等の輸送目的の液体を満たし、当該取出し後の当該空槽を液槽２中の原油等の輸送目的の液体により浮上させると共に昇降装置により上昇させてタンカ−Ｔの液槽２の上部に位置させて原油等の輸送目的の液体を輸送する方法、及び空槽をタンカ−Ｔの液槽２中の原油等の輸送目的の液体により浮上させることができるガイド装置を備えてなるタンカ−。【選択図】図１
2012061931.tif 000002
【特許請求の範囲】
【請求項１】
タンカ−の液槽に、清浄水又は該清浄水以外の貨物を搭載することができる槽（以下、水槽という。）を積載して航行し、目的地にて当該水槽中の当該清浄水又は該清浄水以外の貨物を取出して空にし、前記タンカ−の液槽中に原油等の輸送目的の液体を満たし、当該取出し後の当該空槽を当該液槽中の原油等の輸送目的の液体により浮上させると共に、昇降装置により上昇させて前記タンカ−の液槽の上部に位置させて原油等の輸送目的の液体を輸送することを特徴とするタンカ−による原油等液体の輸送方法。
【請求項２】
請求項１に記載のタンカ−による原油等液体の輸送方法に使用されるタンカ−において、当該タンカ−が、清浄水又は該清浄水以外の貨物を取出して空にした空槽をタンカ−の液槽中の原油等の輸送目的の液体により浮上させることができるガイド装置を備えてなることを特徴とするタンカ−。
【発明の詳細な説明】
【技術分野】
【０００１】
本発明は、タンカ−による原油等液体の輸送方法及びそれに使用されるタンカ−に関し、詳しくは、タンカ−による原油等液体の輸送に際して、地域の生態系への悪影響が懸念され、国際的な環境問題となっている海水のバラスト水の問題等に対処できるその輸送方法及びそれに使用されるタンカ−に関するものである。
【背景技術】
【０００２】
液体を輸送する輸送機械特に船舶のタンカ−（ｔａｎｋｅｒ）は、一般に、船体内に大型のタンク（液槽）を設置していることからタンカ−と呼ばれ、原油を輸送する石油タンカ−、液化天然ガス（ＬＮＧ）を輸送するＬＮＧタンカ−、化学物質を輸送するケミカルタンカ−等の種類がある。
タンカ−では、その船体の浮沈を調節するために、船舶のバラスト（ｂａｌｌａｓｔ
、重し）として水が用いられている。当該水は、バラスト水（Ｂａｌｌａｓｔ  Ｗａｔｅｒ）と称され、無積載で出港するとき、その出港地で港の海水などをバラストタンクに積み込みする。バラスト水は、立ち寄る港で荷物を積載する代わりに船外へ排出されるが、そこに含まれている水生生物が外来種として生態系に悪影響を与える等の問題が指摘されている。バラスト水を船内に取り込む時にフイルタ−掛する等により生物を入れないようにすればよいが、それには限度があり、環境に配慮してバラスト水をできるだけ積まないように、ノンバラスト船の研究等が進められている。
タンカ−の油槽中に可撓性袋（風船）を収納し、当該油槽に原油を充填し、精製地で原油を取り出し、当該可撓性袋（風船）に飲料用水を充填し、産油地に当該飲料用水を輸送し、飲料用水を取り出すという輸送方法が提案されており（特開２００２−２４０７７９号公報）、当該方法は、バラスト水に代えて飲料用水を産油地に輸送するもので、又、可撓性袋（風船）を膨らませたり或いは空気を抜いたりするものである。
【先行技術文献】
【特許文献】
【０００３】
【特許文献１】特開２００２−２４０７７９号公報
【発明の概要】
【発明が解決しようとする課題】
【０００４】
本発明は、上記のような従来技術の欠点を解消することができる技術を提供することを目的としたものである。
本発明の他の目的および新規な特徴は以下の明細書及び図面の記載からも明らかになるであろう。
【課題を解決するための手段】
【０００５】
本発明の特許請求の範囲は、次の通りである。
（請求項１）  タンカ−の液槽に、清浄水又は該清浄水以外の貨物を搭載することができる槽（水槽）を積載して航行し、目的地にて当該水槽中の当該清浄水又は該清浄水以外の貨物を取出して空にし、前記タンカ−の液槽中に原油等の輸送目的の液体を満たし、当該取出し後の当該空槽を当該液槽中の原油等の輸送目的の液体により浮上させると共に、昇降装置により上昇させて前記タンカ−の液槽の上部に位置させて原油等の輸送目的の液体を輸送することを特徴とするタンカ−による原油等液体の輸送方法。
（請求項２）  請求項１に記載のタンカ−による原油等液体の輸送方法に使用されるタンカ−において、当該タンカ−が、清浄水又は該清浄水以外の貨物を取出して空にした空槽をタンカ−の液槽中の原油等の輸送目的の液体により浮上させることができるガイド装置を備えてなることを特徴とするタンカ−。
【発明の効果】
【０００６】
本願において開示される発明のうち代表的なものによって得られる効果を簡単に説明すれば、下記のとおりである。
すなわち、本発明によれば、請求項１に記載の発明のように、タンカ−による原油等液体の輸送に際して、タンカ−の液槽に、清浄水又は該清浄水以外の貨物を搭載することができる槽（水槽）を積載して航行し、目的地にて当該水槽中の当該清浄水又は該清浄水以外の貨物を取出して空にし、前記タンカ−の液槽中に原油等の輸送目的の液体を満たし、当該取出し後の当該空槽を当該液槽中の原油等の輸送目的の液体により浮上させると共に、昇降装置により上昇させて前記タンカ−の液槽の上部に位置させて原油等の輸送目的の液体を輸送するようにすれば、例えば、中東の産油国に、日本から飲料水を運び、帰途に原油を輸送してくれば、水不足に悩む国に恩恵を与えることができ、又、飲料水のような清浄水を運んでいくので、バラスト水の問題は無くなり、環境を害することが無くなる。
請求項２に記載の発明のように、上記の輸送方法に使用されるタンカ−において、当該タンカ−に、清浄水又は該清浄水以外の貨物を取出して空にした空槽をタンカ−の液槽中の原油等の輸送目的の液体により浮上させることができるガイド装置を備えさせることにより、水槽が液槽（油槽）の上部に位置し易くなり、目的地にて当該水槽中の当該清浄水又は該清浄水以外の貨物を取出して空にし、前記タンカ−の液槽中に原油等の輸送目的の液体を満たし、当該取出し後の当該空槽を当該液槽中の原油等の輸送目的の液体により浮上させ液槽の上部に位置させるのが容易になる。
【図面の簡単な説明】
【０００７】
【図１】（Ａ）及び（Ｂ）共に、本発明の実施例を示す構成図である。
【図２】（Ａ）及び（Ｂ）共に、本発明の実施例を示す構成図である。
【図３】（Ａ）及び（Ｂ）共に、本発明の実施例を示す構成図である。
【図４】本発明の実施例を示すタンカ−の立体構成図である。
【発明を実施するための形態】
【０００８】
本発明のタンカ−による原油等液体の輸送方法及びそれに使用されるタンカ−について、図面を参照して説明する。
図１に示すように、タンカ−Ｔの船体１の液槽２に、清浄水又は該清浄水以外の貨物を搭載することができる槽（水槽）３を積載する。
当該液槽２は、カ−ゴ（ｃａｒｇｏ、貨物、積み荷、船荷）タンク（ｔａｎｋ）であり、原油等の輸送目的の液体を満たすタンク（槽、貯蔵槽）であり、例えば、産油国から石油を当該液槽２のカ−ゴタンクに充填し、輸送する。
当該水槽３は、清浄水又は該清浄水以外の貨物を搭載することができる槽で、図示のように、清浄水好ましくは飲料水Ｗが当該水槽３内に搭載されている。当該清浄水好ましくは飲料水Ｗが搭載されているので、何も搭載しないでタンカ−を航行させることを避けることができ、当該清浄水好ましくは飲料水Ｗはバラスト水にもなり、雨水等はあっても清浄水特に飲料水不足に悩む国に対して恩恵を施すことができるだけではなく、渇水とか災害時にも水を運ぶことができ、タンカ−には海水を積むバラストタンクは不要であり、仮に当該清浄水を寄港地で廃棄しても、環境を害することは無くなり、清浄水を輸出して外貨を稼ぐこともでき経済的なメリットもある。
当該水槽３には、蓋を被せてもよい。テ−プの貼合により、雨水や海水の侵入を防止するようにしてもよい。
【０００９】
目的地例えば産油国にて、当該水槽３中の清浄水Ｗを取出して空にする。
図２に示すように、タンカ−Ｔの液槽２中に原油等の輸送目的の液体Ｌを満たす。
当該液体Ｌは、例えば、石油タンカ−にあっては原油、ＬＮＧタンカ−にあつては液化天然ガス（ＬＮＧ）、ケミカルタンカ−にあっては、液状化学物質が該当する。
タンカ−Ｔの液槽２中に原油等の輸送目的の液体Ｌを満たすと、清浄水Ｗを取出して空になつた水槽３が当該液体Ｌにより浮上する。水槽３は、空になつているので浮くが、図１，図２及び図３に示すように、ガイド装置４を備えていると、当該水槽３を浮かせ上昇させるのが容易になる。又、ガイド装置４により安定して当該水槽３を浮かせ上昇させることができる。
当該ガイド装置４は、例えば、ガイドレ−ル４００とガイドロ−ル４０１とを備えてなる。
図３（Ａ）及び（Ｂ）に示すように当該水槽３は、液体Ｌにより浮上し、ガイドロ−ル４０１により浮上し、ガイドレ−ル４００に沿って浮上上昇していくことができる。
図３（Ａ）及び（Ｂ）に示すように、液槽２の上部に昇降装置５を付設し、当該昇降装置５により、当該水槽３を浮上上昇させ、液槽２の上部に位置させることができる。当該昇降装置５により、当該水槽３の浮上上昇を早めることができる。その際に、液槽２の底部に、持上げ装置５００を設置して、下方から当該水槽３を持上げるようにすると、より一層当該水槽３は浮上上昇し易くなる。当該昇降装置５は、当該水槽３が比較的にその重量があるような場合に有効で、下からの持上げ装置５００は、当該昇降装置５の一部として、より一層有効になる。昇降装置５は、例えば、油圧シリンダなどにより構成される。
【００１０】
図４は、本発明の実施例を示すタンカ−Ｔの略示図で、当該タンカ−Ｔは、外板、横隔膜、縦隔膜等で仕切を設けたタンク構造を有している。
図４に示すように、当該水槽３は液槽２に対して、当該液槽２が空の時に、下降して積載され、清浄水好ましくは飲料水Ｗが当該水槽３内に入れられ、目的地にて、清浄水Ｗを取出して空になると、液槽２中に原油等の輸送目的の液体Ｌが満たされ、当該液体Ｌが満たされると、水槽３は当該液体Ｌにより浮上し、ガイド装置４及び昇降装置５により比較的に重量のある水槽３を使用しても、当該水槽３を浮かせ上昇させることが容易となる。
【００１１】
本発明は上記実施例に限定されず、適宜変更が可能である。
前記実施例では、水槽３に清浄水好ましくは飲料水Ｗを入れる例を示したが、該清浄水以外の貨物にも適用できる。液槽２の空間は、原油の輸送に加えて、貨物の運搬も行え、重複して使用することができる。水の運搬の場合も同様である。
、当該比較的に重量のある貨物により、比較的に水槽３の重量が増加しても、ガイド装置４及び昇降装置５により当該水槽３を浮かせ上昇させることが容易となる。
【産業上の利用可能性】
【００１２】
本発明のタンカ−の輸送方法及びそのタンカ−は、各種の用途に使用できる。
【符号の説明】
【００１３】
１    船体
２    液槽
３    水槽
４    ガイド装置
５    昇降装置
Ｌ    原油等の輸送目的の液体
Ｔ    タンカ−
Ｗ    清浄水好ましくは飲料水
【図１】
2012061931.tif 000003
【図２】
2012061931.tif 000004
【図３】
2012061931.tif 000005
【図４】
2012061931.tif 000006